(57)【要約】本発明の実施形態は、位置に基づくサービスを提供する通信端末であって、位置に基づくサービス要求を受信し、位置決め要求をロケータへ送信して現在の座標データを取得し、座標データに従って対応する地図要求を地図取得装置へ送信して対応する地図データを取得し、座標データ及び対応する地図データに従って位置データを生成し、位置データをホストへ送信するよう構成されるデータプロセッサと、位置決め要求をデータプロセッサから取得し、通信端末の座標データを取得し、座標データをデータプロセッサへ送信するよう構成されるロケータと、地図要求をデータプロセッサから取得し、対応する地図データを取得し、地図データをデータプロセッサへ送信するよう構成される地図取得装置とを有する。本発明の実施形態はまた、対応するシステム及び方法を開示する。本発明の実施形態を適用することによって、ホストは、如何なる専用のアプリケーションプログラムも用いずに、端末側から送信される位置データを直接に読み出すことができる。
2014521233.tif 000002
【特許請求の範囲】
【請求項１】
位置に基づくサービスを提供する通信端末であって、
位置に基づくサービス要求を受信し、位置決め要求をロケータへ送信して現在の座標データを取得し、該座標データに従って対応する地図要求を地図取得装置へ送信して対応する地図データを取得し、前記座標データ及び前記対応する地図データに従って位置データを生成し、該位置データをホストへ送信するよう構成されるデータプロセッサと、
前記位置決め要求を前記データプロセッサから取得し、当該通信端末の前記座標データを取得し、該座標データを前記データプロセッサへ送信するよう構成される前記ロケータと、
前記地図要求を前記データプロセッサから取得し、前記対応する地図データを取得し、該地図データを前記データプロセッサへ送信するよう構成される前記地図取得装置と
を有する通信端末。
【請求項２】
前記地図データを記憶するよう構成される地図メモリ
を更に有する請求項1に記載の通信端末。
【請求項３】
前記地図取得装置は、前記対応する地図データをネットワークサーバからダウンロードすることによって前記対応する地図データを取得する、
請求項１又は２に記載の通信端末。
【請求項４】
前記地図取得装置は、更に前記対応する地図データを前記地図メモリから取得することによって前記対応する地図データを取得する、
請求項２に記載の通信端末。
【請求項５】
前記ロケータは、ＧＰＳポジショニング、ＡＧＰＳポジショニング、セルポジショニング、又はＷｉ−Ｆｉポジショニングを含む方法において前記座標データを取得する、
請求項１乃至４のうちいずれか一項に記載の通信端末。
【請求項６】
前記データプロセッサによって生成される前記位置データは、当該通信端末が位置づけられている座標点と、該座標点の周辺地図とを含む、
請求項１乃至５のうちいずれか一項に記載の通信端末。
【請求項７】
前記データプロセッサによって生成される前記位置データは、ウェブページデータ又はグラフィクスデータである、
請求項１乃至６のうちいずれか一項に記載の通信端末。
【請求項８】
データカード、スマートフォン、無線モジュール、又はＧＰＳモジュールを有する請求項１乃至７のうちいずれか一項に記載の通信端末。
【請求項９】
位置に基づくサービスを提供するシステムであって、
位置に基づくサービス要求をホストから受信し、自身の座標データ及び対応する地図データを取得し、前記座標データ及び前記対応する地図データに従って位置データを生成し、該位置データを前記ホストへ送信する位置に基づくサービスの通信端末と、
前記位置に基づくサービス要求を前記通信端末へ送信し、前記位置データを前記通信端末から受信し、該位置データに従って位置に基づくサービスを提供するよう構成される前記ホストと
を有するシステム。
【請求項１０】
前記通信端末及び前記ホストは、ＵＳＢ、ブルートゥース、２．４Ｇ、Ｍｉｎｉ  ＰＣＩ−Ｅ、ＳＰＩ、ＵＡＲＴ、ＭＩＰＩ、又はＳＤＩＯインターフェースを通じて接続される、
請求項９に記載のシステム。
【請求項１１】
前記位置データに従って前記位置に基づくサービスを提供することは、前記位置データの内容を直接に表示することを含む、
請求項９又は１０に記載のシステム。
【請求項１２】
位置に基づくサービスを提供する方法であって、位置決め機能を有するモバイル端末に適用される方法において、
前記モバイル端末によって、位置に基づくサービス要求を受信するステップと、
前記モバイル端末の現在の座標データを取得するステップと、
前記座標データに従って対応する地図データを取得するステップと、
前記取得された座標データ及び対応する地図データに従って位置データを生成するステップと、
前記位置データをホストへ送信し、該ホストが前記位置データに従って位置に基づくサービスをユーザへ提供するようにするステップと
を有する方法。
【請求項１３】
前記対応する地図データを取得するステップは、前記対応する地図データをネットワークサーバからダウンロードするステップ、又は前記対応する地図データを前記通信端末の局所記憶装置から取得するステップを有する、
請求項１２に記載の方法。
【請求項１４】
前記モバイル端末の現在の座標データを取得するステップは、ＧＰＳポジショニング、ＡＧＰＳポジショニング、セルポジショニング、又はＷｉ−Ｆｉポジショニングを含む方法において実施される、
請求項１２又は１３に記載の方法。
【請求項１５】
前記位置データは、前記通信端末が位置づけられている座標点と、該座標点の周辺地図とを含む、
請求項１２乃至１４のうちいずれか一項に記載の方法。
【請求項１６】
前記位置データは、ウェブページデータ又はグラフィクスデータである、
請求項１２乃至１５のうちいずれか一項に記載の方法。
【請求項１７】
前記位置データに従って前記位置に基づくサービスを提供するステップは、前記位置データの内容を直接に表示するステップを有する、
請求項１２乃至１６のうちいずれか一項に記載の方法。
【発明の詳細な説明】
【技術分野】
【０００１】
本発明は、通信技術の分野に関し、特に、位置に基づくサービスを提供する通信端末、システム及び方法に関する。
【背景技術】
【０００２】
位置に基づくサービス（Location  Based  Service；ＬＢＳ）は、グローバルシステム・オブ・モバイルコミュニケーション（Global  System  of  Mobile  communication；ＧＳＭ（登録商標））又は符号分割多重アクセスネットワーク（Code  Division  Multiple  Access；ＣＤＭＡ）等の電気通信モバイルネットワークオペレータの無線通信ネットワークを通じて、又はグローバルポジショニングシステム（Global  Positioning  System；ＧＰＳ）等の外部からの位置決め方式においてモバイル端末ユーザの位置情報（地理座標又は測地座標）を取得することによって、地理的情報システム（Geographic  Information  System；ＧＩＳ）のサポート下で、対応するサービスをユーザに提供する付加価値サービスである。位置に基づくサービスの流行により、ますます多くの通信端末装置が位置決め機能を設けられているが、異なる端末製造者の設計における相違により、普遍的な方法において位置に基づくサービスを発展させるべくそれらの通信端末装置を使用することが重要である。例えば、幾つかの通信端末装置は、位置情報を取得するために米国海洋電子機器協会（National  Marine  Electronics  Association；ＮＭＥＡ）プロトコルの使用をサポートし、一方、幾つかの通信端末装置は、位置情報を取得するためにプライベートコマンド（例えば、プライベートＡＴコマンド）を使用する必要がある。現在、端末装置が位置に基づくサービスをホストへ提供する解決法は、以下の通りである。
【０００３】
図１を参照すると、通信端末装置は、位置決めサービス、例えば、ＧＰＳ又はアシスト型ＧＰＳ（Assisted  Global  Positioning  System；ＡＧＰＳ）を通じて座標データを取得し、通信端末装置のネットワーク機能を通じて対応する地図データをダウンロードし、次いで、座標データ及び地図データをホストへ送信し、そして、ホスト側にあるＬＢＳアプリケーションモジュールは、データに従って装置の座標点を含む地図を描き、ホストはその地図をユーザに表示する。
【発明の概要】
【発明が解決しようとする課題】
【０００４】
発明者は、本技術が少なくとも以下の欠点を有することに気づいた。
【０００５】
様々な端末製造者の通信端末装置の設計には相違が存在し、ホストは、端末側によって送信されるデータを直接に読み出すために汎用のオペレーティングシステムを使用することができない。更に、端末側によって送信される座標データ及び地図データは、ホスト側で結合されて処理される必要があり、従って、専用のアプリケーションプログラムが、位置に基づくサービスを実施するためにホスト側で使用される必要があり、それにより、位置に基づくサービスのユーザビリティを下げるとともに、ホスト側でのアプリケーションプログラムの開発困難性を高める。
【課題を解決するための手段】
【０００６】
本発明の実施形態は、位置に基づくサービスを提供する通信端末、システム及び方法を開示し、これらは、端末側で座標データ及び地図データの結合及び処理を実施する。それによりホストは、如何なる専用のアプリケーションプログラムも用いずに、端末装置によって送信される位置データを直接に読み出すことができる。
【０００７】
本発明の実施形態は、位置に基づくサービスを提供する通信端末であって、
位置に基づくサービス要求を受信し、位置決め要求をロケータへ送信して現在の座標データを取得し、該座標データに従って対応する地図要求を地図取得装置へ送信して対応する地図データを取得し、前記座標データ及び前記対応する地図データに従って位置データを生成し、該位置データをホストへ送信するよう構成されるデータプロセッサと、
前記位置決め要求を前記データプロセッサから取得し、当該通信端末の前記座標データを取得し、該座標データを前記データプロセッサへ送信するよう構成される前記ロケータと、
前記地図要求を前記データプロセッサから取得し、前記対応する地図データを取得し、該地図データを前記データプロセッサへ送信するよう構成される前記地図取得装置と
を有する通信端末を開示する。
【０００８】
本発明の実施形態は、位置に基づくサービスを提供するシステムであって、
位置に基づくサービス要求をホストから受信し、自身の座標データ及び対応する地図データを取得し、前記座標データ及び前記対応する地図データに従って位置データを生成し、該位置データを前記ホストへ送信する位置に基づくサービスの通信端末と、
前記位置に基づくサービス要求を前記通信端末へ送信し、前記位置データを前記通信端末から受信し、該位置データに従って位置に基づくサービスを提供するよう構成される前記ホストと
を有するシステムを開示する。
【０００９】
本発明の実施形態は、位置に基づくサービスを提供する方法であって、位置決め機能を有するモバイル端末に適用される方法において、
前記モバイル端末によって、位置に基づくサービス要求を受信するステップと、
前記モバイル端末の現在の座標データを取得するステップと、
前記座標データに従って対応する地図データを取得するステップと、
前記取得された座標データ及び対応する地図データに従って位置データを生成するステップと、
前記位置データをホストへ送信し、該ホストが前記位置データに従って位置に基づくサービスをユーザへ提供するようにするステップと
を有する方法を開示する。
【００１０】
本発明の実施形態に従う、位置に基づくサービスを提供する端末装置、システム及び方法を適用することによって、ホストは、端末側によって送信される位置データを直接に読み出すよう汎用のオペレーティングシステムを使用してよく、これは、位置に基づくサービスのユーザビリティを高めるとともに、関連するアプリケーションプログラムの開発困難性を低減する。
【図面の簡単な説明】
【００１１】
【図１】既存のシステムの略構造図である。
【図２】本発明の実施形態に従う通信端末の略構造図である。
【図３】本発明の実施形態に従う他の通信端末の略構造図である。
【図４】本発明の実施形態に従うシステムの略構造図である。
【図５】本発明の実施形態に従って位置に基づくサービスを提供する方法のフローチャートである。
【発明を実施するための形態】
【００１２】
本発明の実施形態の目的、技術的解決法、及び利点をより明らかにするよう、以下は、添付の図面を参照して本発明の実施形態を更に記載する。
【００１３】
最初に、本発明の実施形態において記載される通信端末は、データカード、無線モジュール、ＧＰＳモジュール、又は位置決め機能を備える携帯電話機のような電子機器を含むがこれに限られず、自身の位置データを取得する機能を持った如何なる他の通信端末装置も、本発明において開示される技術的解決法に適用されてよい点が留意されるべきである。データカードは、以下の実施形態における記載のための例とされ、それは単に実施例に過ぎず、本発明を限定するよう意図されない。加えて、本発明の実施形態において記載されるホストは、デスクトップパーソナルコンピュータ、ポータブルコンピュータ、タブレットコンピュータ、又は携帯電話機のような電子機器を含むがこれに限られない。
【００１４】
［通信端末の実施形態］
図２を参照して、本発明の実施形態は、位置に基づくサービスを提供する通信端末を提供する。なお、データカードが、本発明の実施形態における記載のための例とされる。位置に基づくサービスを提供する通信端末は、データプロセッサ２１、ロケータ２２、及び地図取得装置２３を有する。
【００１５】
データプロセッサ２１は、位置に基づくサービス要求を受信し、位置決め要求をロケータ２２へ送信して現在の座標データを取得し、座標データに従って対応する地図要求を地図取得装置２３へ送信して対応する地図データを取得し、座標データ及び対応する地図データに従って位置データを生成し、位置データをホストへ送信するよう構成される。
【００１６】
具体的に、データプロセッサは、位置に基づくサービス要求をホストから受信し、位置決め要求をロー桁２２へ送信してデータカードの現在の座標データを取得する。ロケータ２２によって返された座標データを取得した後、データプロセッサ２１は、座標データを地図要求に付加する。このとき、地図データは、位置図のサイズ及び比率等の地図属性を更に含んでよく、任意にそれらの地図属性は、予めセットされてデータカードにおいて記憶されてよい。データプロセッサ２１は、地図要求を地図取得装置２３へ送信し、返送された地図データを取得し、取得した位置決めデータ及び地図データを組み合わせて処理し、位置データを生成する。位置データには、データカードが位置する座標点と、その座標店の周辺地図とが含まれる。位置データは、ウェブページデータファイル、例えば、http://myLBS/Index.htmlであってよく、グラフィクスデータファイル、例えば、“myLBS.jpg”、又は汎用のオペレーティングシステムを用いてホストによって直接読み出されてユーザに表示され得る他のデータフォーマットにおけるファイルであってもよい。最後に、データプロセッサ２１は、位置データをホストへ送信し、それによりホストは、位置データに従って位置に基づくサービスをユーザへ提供する。位置に基づくサービスは、ユーザへ位置データの内容を直接表示してよく、位置データに従って他の位置に基づくサービス情報、例えば、周辺のレストラン及び娯楽施設に関する情報を提供してもよい。このように、ホスト側は、ブラウザ及び画像ビューアー等のオペレーティングシステムのアプリケーションプログラムを通じて位置データを直接読み出すことができるが、ウェブページデータ又はグラフィクスデータに対して追加の処理を実行する必要はない。これは、位置に基づくサービスの適応性を改善する。
【００１７】
ロケータ２２は、位置決め要求をデータプロセッサ２１から取得し、データカードの座標データを取得し、座標データをデータプロセッサ２１へ送信するよう構成される。
【００１８】
ロケータ２２は、ＧＰＳポジショニング、ＡＧＰＳポジショニング、セルポジショニング、若しくはＷｉ−Ｆｉポジショニングの方法において、又は他の位置決め方法においてデータカードの座標データを取得してよい。一例として、データカードの現在位置は“北京市北京ホテル”であり、取得される座標データは、データカードの現在位置の座標が“116°416969E’，39°914485N’”であることを示すとする。更に、座標データは、高度及び方位角等のパラメータ情報を更に含んでよい。
【００１９】
地図取得装置２３は、地図要求をデータプロセッサ２１から取得し、対応する地図データを取得し、地図データをデータプロセッサ２１へ送信するよう構成される。
【００２０】
データプロセッサ２１から地図要求を受信した後、地図取得装置２３は、地図要求に含まれる座標点並びに位置図のサイズ及び比率等の情報に従って、対応する地図データをネットワークサーバ、例えば、グーグルマップから、３Ｇ、ＷＬＡＮ、Ｗｉ−Ｆｉ又はデータカードの他のネットワーク機能を通じてダウンロードし、地図データをデータプロセッサ２１へ送信する。ネットワークサーバは、データカードによって予めセットされて記憶されてよく、更に、適切なネットワークサーバを選択するように、データカードのバックグラウンドプログラムを通じてユーザによって変更されてよい。
【００２１】
任意に、図３を参照して、データカードは、データカードにおいて局所的に地図データを記憶するよう構成される地図メモリ２４を更に有してよい。
【００２２】
データカードが、対応する地図データをデータカード自体から取得することができる場合は、地図取得装置２３は、データプロセッサ２１から地図要求を受け取った後、対応する地図データを地図メモリ２４から獲得する。このように、データカードは、対応する地図データをネットワーク接続を使用せずに取得することができ、それにより、利用可能な地図情報を局所的に記憶する通信端末は、対応する地図データをネットワーク接続機能を有さずに取得し、然るべく技術的解決方法を実施してよい。
【００２３】
本発明の実施形態におけるデータプロセッサ２１、ロケータ２２、及び地図取得装置２３は、別個のハードウェアモジュールによって実施されてよく、データ処理、座標データ取得、及び地図データ取得の機能を同時に実施するよう構成される集積型マイクロプロセッサであってもよく、すなわち、マスターチップにおいて集積された機能モジュールであってもよい点が留意されるべきである。地図メモリ２４は、専用メモリであってよく、大容量メモリにおける記憶空間の一部分であってもよく、更には、データカードへ接続する外部メモリ、例えば、セキュリティデジタル（Security  Digital；ＳＤ）カードであってよい。
【００２４】
この実施形態において、データプロセッサ２１は、位置に基づくサービス要求をホストから受信し、位置決め要求をロケータ２２へ送信し、ロケータ２２は、ＧＰＳポジショニング等の位置決め方法においてデータカードの座標データを取得し、座標データをデータプロセッサ２１へ返し、データプロセッサ２１は、座標データに従って対応する地図要求を地図取得装置２３へ送信し、地図取得装置２３は、対応する地図データをネットワークサーバからダウンロードし又は地図メモリ２４から獲得し、地図データをデータプロセッサ２１へ返し、データプロセッサ２１は、座標データ及び対応する地図データを結合して位置データを生成し、位置データはウェブページデータ又はグラフィクスデータであってよく、データプロセッサ２１は、位置データをホストへ送信し、ホストは、位置データを読み込んで、位置に基づくサービスを提供する。本発明の実施形態に従う通信端末を適用することによって、位置に基づくサービスを提供する際にホストが端末側から送信されたデータを処理するために専用のアプリケーションプログラムを使用する必要があるという問題は解決され、これは、位置に基づくサービスのユーザビリティを改善し且つホスト側でのアプリケーションプログラムの開発困難性を低減する。
【００２５】
［システムの実施形態］
図４を参照して、本発明の実施形態は、位置に基づくサービスを提供するシステムであって、
位置に基づくサービス要求をホスト４２から受信し、自身の座標データ及び対応する地図データを取得し、前記座標データ及び前記対応する地図データに従って位置データを生成し、該位置データを前記ホストへ送信するデータカード４１と、
前記位置に基づくサービス要求をデータカード４１へ送信し、前記位置データをデータカード４１から受信し、該位置データに従って位置に基づくサービスを提供するよう構成されるホスト４２と
を有するシステムを提供する。なお、データカード４１の具体的な構造及び動作については、通信端末の実施形態及び方法の実施形態における関連する内容が参照されるので、詳細はここでは繰り返されない。
【００２６】
通信端末４１及びホスト４２は、ユニバーサルシリアルバス（Universal  Serial  Bus；ＵＳＢ）、ブルートゥース、２．４ｇ非ネットワークキングソリューション（２．４Ｇ）、ミニビデオカードバスインターフェース（Ｍｉｎｉ  ＰＣＩ−Ｅ）、シリアルペリフェラルインターフェース（Serial  Peripheral  Interface；ＳＰＩ）、万能非同期送受信機（Universal  Asynchronous  Receiver/Transmitter；ＵＡＲＴ）、モバイルインダストリプロセッサインターフェース（Mobile  Industry  Processor  Interface；ＭＩＰＩ）、若しくはセキュアデジタル入出力（Secure  Digital  Input  and  Output；ＳＤＩＯ）インターフェースを通じて、又は他の方法において接続される。
【００２７】
具体的に、ホスト４２によって送信される位置要求は、位置決め頻度（周波数）、地図サイズ、及び地図比率等の位置に基づくサービスのパラメータを含んでよい。ホスト４２によって受信される位置データがウェブページデータである場合は、ホスト４２は、汎用のブラウザ、例えば、ＩＥ、ファイヤフォックス、及びマクストンを通じてウェブページデータを読み込み、位置に基づくサービスをユーザへ提供してよい。位置に基づくサービスは、位置データの内容をユーザへ直接表示してよく、位置データに従って、他の位置に基づくサービス情報、例えば、周辺のレストラン及び娯楽施設に関する情報を提供してもよい。更に、ユーザは、位置決め頻度（周波数）、地図サイズ、及び地図比率等の位置に基づくサービスのパラメータをブラウザを通じて設定し変更してよい。ホスト４２によって受信される位置データがグラフィクスデータである場合は、ホスト４２は、グラフィクスデータを開いて表示することができる画像ビューアー又はその他アプリケーションプログラムを通じて位置データを読み出してよい。従って、ホスト側におけるプログラム開発者は、座標データの具体的な取得詳細を検討する必要がなく、地図データの取得及び表示に関して気遣う必要がなく、更には、ＡＴ及びＮＥＭＡ等の特別のコマンド／プロトコルに基づき専用のアプリケーションプログラムを開発する必要がない。
【００２８】
この実施形態において、ホスト４２は、位置に基づくサービス要求をデータカード４１へ送信し、データカード４１は、データカード４１の座標データ及び対応する地図データを取得し、座標データ及び対応する地図データを結合して位置データを生成し、その位置データをホスト４２へ送信し、位置データはウェブページデータ又はグラフィクスデータであり、ホスト４２は、位置データを受信し、位置データに従って位置に基づくサービスを提供する。本発明の実施形態に従うシステムを適用することによって、位置に基づくサービスを提供するプロセスの間、ホストは、通信端末によって送信された位置データを如何なる専用のアプリケーションプログラムも使用せずに読み出し、位置に基づくサービスをユーザへ提供することができる。これは、位置に基づくサービスの実施プロセスを簡単化し、ホスト側での専用のアプリケーションプログラムの開発作業を回避し、位置に基づくサービスのユーザビリティを改善する。
【００２９】
［方法の実施形態］
図５を参照して、本発明の実施形態は、位置に基づくサービスを提供する方法であって、位置決め機能を有する通信端末（例として、データカード）に適用される方法を提供する。方法は、次のステップを有する。
【００３０】
ステップ５１：位置に基づくサービス要求を受信する。
【００３１】
データカードは、位置に基づくサービス要求をホストから受信する。位置に基づくサービス要求は、位置決め頻度（周波数）、地図サイズ、及び地図比率等の位置に基づくサービスのパラメータを含んでよく、データカードはまた、位置に基づくサービスのパラメータを予め記憶してよい。
【００３２】
ステップ５２：データカードの現在の座標データを取得する。
【００３３】
位置に基づくサービス要求を受信した後、データカードは、ＧＰＳポジショニング、ＡＧＰＳポジショニング、セルポジショニング若しくはＷｉ−Ｆｉポジショニングの方法において、又は他の位置決め方法において、自身の現在の座標データを取得してよい。一例として、データカードの現在位置は“北京市北京ホテル”であり、取得される座標データは、データカードの現在位置の座標が“116°416969E’，39°914485N’”であることを示すとする。更に、座標データは、高度及び方位角等のパラメータ情報を更に含んでよい。
【００３４】
ステップ５３：座標データに従って対応する地図データを取得する。
【００３５】
座標データを取得した後、データカードは、座標データに従って、座標データに対応する地図データ、例えば、データカードが位置する座標点を中心とした１０ｋｍの範囲内の地図を取得する。なお、地図のサイズ及び比率等の主なパラメータは、ステップ５１で送信される位置更新要求においてホストによって送信されてよく、またデータカードによって予めセットされて記憶されてもよい。データカードは、対応する地図データをネットワークサーバ、例えば、グーグルマップから、３Ｇ、ＷＬＡＮ、Ｗｉ−Ｆｉネットワーク接続又はデータカードの他のネットワーク接続機能を通じてダウンロードしてよい。ネットワークサーバは、データカードによって予めセットされて記憶されてよく、更に、適切なネットワークサーバを選択するように、データカードのバックグラウンドプログラムを通じてユーザによって変更されてよい。更に、データカードが利用可能な地図情報を局所的に記憶する場合は、対応する地図データはまた、局所記憶装置から獲得されてもよい。従って、利用可能な地図情報を局所的に記憶する通信端末は、対応する地図データをネットワーク接続機能を有さずに取得し、然るべく技術的解決方法を実施してよい。
【００３６】
ステップ５４：取得された座標データ及び対応する地図データに従って位置データを生成する。
【００３７】
対応する地図データを取得した後、データカードは、取得した位置決めデータ及び地図データを組み合わせて処理し、位置データを生成する。位置データには、データカードが位置する座標点と、その座標店の周辺地図とが含まれる。位置データは、ウェブページデータファイル、例えば、http://myLBS/Index.htmlであってよく、グラフィクスデータファイル、例えば、“myLBS.jpg”、又は汎用のオペレーティングシステムを用いてホストによって直接読み出されてユーザへ位置に基づくサービスを提供する他のデータフォーマットにおけるファイルであってもよい。
【００３８】
ステップ５５：位置データをホストへ送信し、ホストが位置データに従って位置に基づくサービスをユーザへ提供するようにする。
【００３９】
具体的に、ホストによって受信される位置データがウェブページデータである場合は、ホストは、汎用のブラウザ、例えば、ＩＥ、ファイヤフォックス、及びマクストンを通じてウェブページデータを読み込み、ウェブページデータをユーザに表示してよい。ホストによって受信される位置データがグラフィクスデータである場合は、ホストは、グラフィクスデータを開いて表示することができる画像ビューアー又はその他アプリケーションプログラムを通じて位置データを読み出してよい。位置に基づくサービスは、位置データの内容をユーザへ直接表示してよく、位置データに従って、他の位置に基づくサービス情報、例えば、周辺のレストラン及び娯楽施設に関する情報を提供してもよい。従って、ホスト側におけるプログラム開発者は、座標データの具体的な取得詳細を検討する必要がなく、地図データの取得及び表示に関して気遣う必要がなく、更には、ＡＴ及びＮＥＭＡ等の特別のコマンド／プロトコルに基づき専用のアプリケーションプログラムを開発する必要がない。
【００４０】
この実施形態において、データカードは、位置に基づくサービス要求をホストから受信し、データカードの現在の座標データを取得し、座標データに従ってネットワークダウンロードを通じて又は局所記憶装置から対応する地図データを取得し、取得した座標データ及び対応する地図データを組み合わせて処理し、ウェブページデータ又はグラフィクスデータを生成し、生成されたデータをホストへ送信し、そして、ホストは、データ内容を直接読み出して、その内容をユーザへ表示する。それにより、ホスト側での専用のアプリケーションソフトウェアの使用は、位置に基づくサービスを提供するプロセスの間削除され、位置データの取得及び生成は、端末側で実施され、ホスト側は、汎用のオペレーティングシステムを用いることによって位置データを直接読み出すことができる。これは、位置に基づくサービスのユーザビリティ及び適応性を改善する。
【００４１】
当業者には当然に、添付の図面は単に、例となる実施形態の概略図であり、添付の具面におけるモジュール、エンティティ、又はプロセスは、本発明の実施において必ずしも必要とされない。
【００４２】
当業者には当然に、実施形態に従う端末におけるモジュール又はエンティティは、実施形態の記載に従って実施形態の端末において分布するか、あるいは、相応に変更されて、この実施形態とは異なる１以上の装置において配置されてよい。前述の実施形態のモジュール又はエンティティは、１のモジュール又はエンティティにまとめられるか、又は複数のサブモジュール又はサブエンティティに更に分けられてよい。
【００４３】
上記の実施形態の説明を通じて、当業者には明らかなように、本発明は、ソフトウェア及び必要な汎用のハードウェアプラットフォームに基づいて実施されてよく、当然、ハードウェアによって実施されてもよいが、多くの場合に、前者が好ましい実施態様である。そのような理解に基づき、本質的には本発明の技術的解決、又は先行技術に寄与する部分法は、ソフトウェアプロダクトの形で具現されてよい。コンピュータソフトウェアプロダクトは、読み取り可能な記憶媒体、例えば、コンピュータのフロッピー（登録商標）ディスク、ハードディスク、又は光ディスクにおいて記憶され、コンピュータ装置（パーソナルコンピュータ、サーバ、又はネットワーク装置等であってよい。）に本発明の各実施形態に従う方法を実行するよう指示するために使用される複数の命令を含む。
【００４４】
前述の実施形態は、本発明の限定というよりも、単に本発明の技術的解決法を記載することを目的とされる。本発明は前述の実施形態を参照して詳細に記載されるが、当業者には当然に、本発明の技術的解決法の精神及び適用範囲から逸脱することなしに、前述の実施形態において記されている技術的解決法に対して変更がなされてよく、あるいは、等価な置換が、その幾つかの技術的特徴に対して更になされてよい。
【図１】
2014521233.tif 000003
【図２】
2014521233.tif 000004
【図３】
2014521233.tif 000005
【図４】
2014521233.tif 000006
【図５】
2014521233.tif 000007
【国際調査報告】
2014521233.tif 000008
2014521233.tif 000009
2014521233.tif 000010
2014521233.tif 000011